(57)【要約】【課題】情報通信モード機能を有する通信端末装置において、電子情報コンテンツ（電子メールやホームページなど）に記載されている電話番号から電話をかけた後に、発信履歴を表示する際に発信情報と同時に電子情報コンテンツも同時に表示することによって、ユーザが第２発信手段を用いて発信した場合でもどのような状況から発信したのか詳細を知ること。【解決手段】電話機能と、情報通信モード機能と、発信履歴表示機能を有する通信端末装置において、電子情報コンテンツ（電子メールやホームページなど）に記載されている電話番号を発信した際に、電子情報コンテンツをメモリに保存しておき、ユーザ操作により発信履歴を表示する際に発信情報と共に電子情報コンテンツも表示する。【選択図】      図１
2005012430.tif 000002
【特許請求の範囲】
【請求項１】
通信回線と接続する通信手段と、
前記通信手段を介して接続先と通信を行うための接続情報を入力する入力手段と、
前記通信手段を介して接続先と通信を行った際の発信情報を取得する取得手段と、
前記発信情報を記憶する記憶手段と、
前記発信情報を表示する表示手段と、
前記記憶手段に記憶された前記発信情報が前記接続情報として前記入力手段によって入力された時、その発信情報に対する所定の情報の有無を判断する判断手段と、
発信履歴を表示する際に前記判断手段が、前記所定の情報を有していると判断した場合は、発信情報と所定の情報を前記表示手段に表示させ、前記所定の情報を有していないと判断した場合は、発信情報のみを前記表示手段に表示させるように制御する制御手段を有することを特徴とする通信端末装置。
【請求項２】
前記所定の情報は、前記通信手段を介して受信した情報の中に接続情報が含まれた情報であることを特徴とする請求項１に記載の通信端末装置。
【請求項３】
請求項１において前記制御手段により前記表示手段に発信履歴表示をしているときに、所定のユーザ操作によって発信履歴が保持している発信情報内に記憶されている接続情報に再発信することができることを特徴とする通信端末装置。
【請求項４】
請求項１において、前記制御手段は、発信履歴の保存件数を１件以上かつメモリエリアの許容する件数まで任意の数を可能とし、同一の発信履歴を重複しないように制御することを特徴とする通信端末装置。
【請求項５】
請求項１において、前記記憶手段は発信履歴を記憶する際に、発信履歴の保存件数の上限に達している場合には古い発信履歴を消去して新しい発信履歴を記憶することを特徴とする通信端末装置。
【請求項６】
請求項２において、前記所定の情報が電子メールであるとき、発信履歴を表示している際にユーザ操作によって、表示している電子メールに返信できることを特徴とする通信端末装置。
【請求項７】
請求項２において、前記所定の情報がホームページであるとき、発信履歴を表示している際にユーザ操作によって、表示しているホームページのＵＲＬに再接続できることを特徴とする通信端末装置。
【請求項８】
通信回線と接続する通信部と、
前記通信部を介して接続先と通信を行った際の発信情報を取得する取得部と、
前記発信情報を記憶する記憶部と、
前記発信情報を表示する表示部と、
前記通信部を介して接続先と通信を行うための接続情報を入力する入力工程と、
前記記憶部に記憶された前記発信情報が前記接続情報として前記入力工程によって入力された時、その発信情報に対する所定の情報の有無を判断する判断工程と、
発信履歴を表示する際に前記判断工程が、前記所定の情報を有していると判断した場合は、発信情報と所定の情報を前記表示部に表示させ、前記所定の情報を有していないと判断した場合は、発信情報のみを前記表示部に表示させるように制御する制御工程を有することを特徴とする発信履歴制御方法。
【請求項９】
前記所定の情報は、前記通信部を介して受信した情報の中に接続情報が含まれた情報であることを特徴とする請求項８に記載の発信履歴制御方法。
【請求項１０】
請求項８において前記制御工程により前記表示部に発信履歴表示をしているときに、所定のユーザ操作によって発信履歴が保持している発信情報内に記憶されている接続情報に再発信することができることを特徴とする発信履歴制御方法。
【請求項１１】
請求項８において、前記制御工程は、発信履歴の保存件数を１件以上かつメモリエリアの許容する件数まで任意の数を可能とし、同一の発信履歴を重複しないように制御することを特徴とする発信履歴制御法。
【請求項１２】
請求項８において、前記記憶部は発信履歴を記憶する際に、発信履歴の保存件数の上限に達している場合には古い発信履歴を消去して新しい発信履歴を記憶することを特徴とする発信履歴制御方法。
【請求項１３】
請求項９において、前記所定の情報が電子メールであるとき、発信履歴を表示している際にユーザ操作によって、表示している電子メールに返信できることを特徴とする発信履歴制御方法。
【請求項１４】
請求項９において、前記所定の情報がホームページであるとき、発信履歴を表示している際にユーザ操作によって、表示しているホームページのＵＲＬに再接続できることを特徴とする発信履歴制御方法。
【発明の詳細な説明】
【０００１】
【発明の属する技術分野】
本発明は、情報通信モード機能を有する通信端末装置において、電子情報コンテンツに記載されている接続情報を閲覧中の画面から直接発信した際の発信履歴の表示に関するものである。なお、情報通信モードとは、オンラインデータサービスの動作モードのことで、インターネット接続サービス、メッセージサービスなどのことを指すが、この発明の範囲をそれらのみに限定する趣旨のものではない。
【０００２】
【従来の技術】
従来の通信端末装置において、接続情報の入力方法としてテンキーや電子電話帳を用いて入力した場合の発信（これを以後「第１の発信方法」と呼ぶ）の履歴を発信履歴として表示する場合は、発信情報（接続情報、発信時間、相手先の名前が特定できる場合は名前）を表示している。また、情報通信機能を有する通信端末装置において、接続情報の入力方法として接続情報が記載されている電子情報コンテンツ（例えば、電子メールやホームページ）を閲覧中に前記接続情報を選択するという入力手段を用いることによって直接発信（これを以後「第２の発信方法」と呼ぶ）した場合の履歴を発信履歴として表示する場合は、第１の発信方法から発信した場合と同様に発信情報（接続情報、発信時間、相手先の名前を特定できる場合は名前）のみを表示していた。このような表示であると、後にユーザが発信履歴を表示させたとき、その表示部に表示されている発信履歴がどのような状況から発信されたものなのか確認することができなかった。これではユーザが後に上記電子情報コンテンツ内の接続情報に再発信しようと発信履歴を閲覧した際に、表示された接続情報が本当に所望の接続情報であるか確信をもつことができなかった。それにより、再発信する際にも確実に目的の相手に接続することができているかユーザは不安であった。
【０００３】
【発明が解決しようとする課題】
本発明はこのような問題点を解決するためになされたもので、ユーザが過去に第２の発信方法を用いて発信した際の発信履歴を用いて再び同じ相手先に発信をしようと試みる時、該当する発信履歴を表示した際の表示画面に発信情報（接続情報、発信時間、相手先の名前を特定できる場合は名前）に加え、上記電子情報コンテンツも表示されるような構成を用いることによって、ユーザは容易に該当する発信履歴を探し出すことが出来るようになることを目的とする。
【０００４】
【課題を解決するための手段】
本発明の通信端末装置は、通信回線と接続する通信手段と、前記通信手段を介して接続先と通信を行うための接続情報を入力する入力手段と、前記通信手段を介して接続先と通信を行った際の発信情報を取得する取得手段と、前記発信情報を記憶する記憶手段と、前記発信情報を表示する表示手段と、前記記憶手段に記憶された前記発信情報が前記接続情報として前記入力手段によって入力された時、その発信情報に対する所定の情報の有無を判断する判断手段と、発信履歴を表示する際に前記判断手段が、前記所定の情報を有していると判断した場合は、発信情報と所定の情報を前記表示手段に表示させ、前記所定の情報を有していないと判断した場合は、発信情報のみを前記表示手段に表示させるように制御する制御手段を有することを特徴とする通信端末装置である。この構成により、ユーザが過去に電子情報コンテンツに記載されている電話番号を閲覧中の画面から直接発信した際の電話番号に発信履歴を用いて再び発信をしようと試みる場合、ユーザは容易に該当する発信履歴を探し出すことが出来るようになる。
【０００５】
また、前記制御手段により前記表示手段に発信履歴表示をしているときに、所定のユーザ操作によって発信履歴が保持している発信情報内に記憶されている接続情報に再発信することができることを特徴とする。この構成により、ユーザは接続情報を確認しながら再発信することができるため、より確実に目的の相手に接続することができる。
【０００６】
また、本発明の通信端末装置は、前記制御手段により発信履歴の記憶件数を１件以上かつメモリエリアの許容する件数まで任意の数を可能とし、同一の発信履歴を重複しないように制御することを特徴とする通信端末装置を用いる。この構成により、発信履歴をより効果的に保持できるようになる。
【０００７】
また、本発明の通信端末装置は、発信履歴を記憶する際に、発信履歴の保存件数の上限に達している場合には古い発信履歴を消去して新しい発信履歴を記憶することを特徴とする通信端末装置を用いる。この構成により、最新の発信履歴を効果的に保持することができるので、発信履歴の確認や再発信を容易に行うことができる。
【０００８】
また、本発明の通信端末装置は発信履歴を表示しているときに、所定の情報に電子メールが用いられたときには、ユーザ操作によって、表示している電子メールに返信できることを特徴とする。この構成により、ユーザは発信をした相手に対して容易に電子メールも送ることができる。
【０００９】
また、本発明の通信端末装置は発信履歴を表示しているときに、所定の情報にホームページが用いられたときには、ユーザ操作によって、表示しているホームページのＵＲＬに再接続できることを特徴とする。この構成により、ユーザは発信をした相手のホームページを容易に再確認できる。
【００１０】
【発明の実施の形態】
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【００１１】
以下、本発明の一実施形態としての発信履歴機能付電話機を説明する。図１は、実施形態の発信履歴機能付電話機の構成例を示す構成図である。
【００１２】
図１において１００は装置全体を制御するための中央演算処理部（ＣＰＵ）であり、１０１はプログラムおよびデータを記憶するＲＯＭ、１０２は個人データ、電話帳などのバックアップ用のデータを格納する不揮発性ＲＡＭ、１０３はＣＰＵワークデータ、発信履歴データ、表示用データ、記録用データ、通信回線を介して取得した電子情報コンテンツなどを記憶する記憶部（ＤＲＡＭ）である。１０４は記憶した電子情報コンテンツを表示用データへ変換する電子情報コンテンツ変換部である。１０５は電子情報コンテンツ変換部１０４を介して表示用データに変換された電子情報コンテンツデータや装置の状態などをカラー表示する表示部、１０６はテンキーなどから構成される操作部、１０８は通信回線１０９を接続し外部と通信するためのモデムなどから構成される通信部である。ここで各処理部はシステムバス１１０で接続される。
【００１３】
図２は、表示部１０５の構成図である。表示部１０５は、表示データを記憶するＶＲＡＭ２００と、ＶＲＡＭ２００の内容をドットマトリクスＬＣＤ２０２に出力させるためのＬＣＤドライバ２０１とを含む。
【００１４】
図３は、ＤＲＡＭ１０３の内部構成を示すメモリマップであり、ＤＲＡＭ１０３はそれぞれＣＰＵ１００のワークとして使われるＣＰＵワークエリア、発信履歴リスト格納エリア８０１、表示データを記憶する表示用データ格納エリア、およびその他のデータを記憶するその他のデータ格納エリアから構成される。発信履歴リスト格納エリア８０１には発信履歴１、発信履歴２・・というように発信履歴がリスト状に格納されている。このリストはメモリエリアが許容する限り任意の長さを持つことができる。なお、発信履歴リスト８０１は時刻順にソートされている状態を保つ。発信履歴８０２には発信情報８０３、電子情報コンテンツ８０４、前の発信履歴へのポインタ８０５、次の発信履歴へのポインタ８０６が格納されている。発信情報８０３には接続情報である電話番号、発信日時、ホームページのＵＲＬや電子メール格納エリアへの番地など電子情報コンテンツの情報、などが格納されている。電子情報コンテンツ８０４にはホームページのコンテンツや電子メールが格納されている。電子情報コンテンツ８０４に電子情報コンテンツが格納されているか否かを見れば、発信に第１の発信方法か第２の発信方法かどちらを用いたかを判断できる。前の発信履歴へのポインタ８０５には、前の発信履歴へのポインタ８０５を保持する発信履歴８０２よりも時間的に最近の発信履歴の集合の中で時間的に最も古い発信履歴へのポインタが格納される。次の発信履歴へのポインタ８０６には、次の発信履歴へのポインタ８０６を保持する発信履歴よりも時間的に過去の発信履歴の集合の中で最も新しい発信履歴へのポインタが格納される。発信履歴リスト８０１の中で最も新しい発信履歴８０２が保持する前の発信履歴へのポインタ８０５には何も格納されない。つまり、前の発信履歴へのポインタ８０５に何も格納されていない発信履歴８０２を検索することによって、発信履歴リストの中の先頭の要素を判別することが出来る。発信履歴リスト８０１の中で最も古い発信履歴８０２が保持する次の発信履歴へのポインタ８０６には何も格納されない。つまり、次の発信履歴へのポインタ８０６に何も格納されていない発信履歴８０２を検索することで発信履歴リスト８０１の中の最後の要素を判別することが出来る。
【００１５】
図４は、本電話機の操作部１０６の外観構成図であり、ＬＣＤ２０２、電話番号などを入力するためのテンキー５０２、機能設定などに用いる登録キー５０３、マルチな入力に用いる４つのファンクションキー５０４、および設定入力キーであるセットキー５０５と、表示部のカーソル移動などに用いる左右上下方向キー５０６を含む。
【００１６】
ここで第１の発信方法についての詳細を説明する。第１の発信方法はテンキー５０２を用いて電話番号入力を行うことで発信する方法、または、不揮発性ＲＡＭ１０２に格納されている個人データ、電子電話帳内に含まれる電話番号情報を利用して電話番号入力を行うことで発信する方法、または、第１の発信方法を用いて発信した発信の発信履歴を利用して電話番号入力を行うことで発信する方法である。ここで発信した発信情報は発信情報記憶エリア８０３に記憶される。
【００１７】
また、第２の発信方法についての詳細を説明する。まず、回線１０９および通信部１０８を通じて電子情報モードを利用して電子情報コンテンツを取得し、取得したデータを電子情報コンテンツ変換部１０４に渡し、表示データに変換し、記憶部１０３の表示用データエリアに表示用のビットマップデータとして記憶する。さらに、この表示用データエリアに記憶されたデータの中で、表示が必要なデータが、表示部１０５のＶＲＡＭ２００ヘ送られ、ＬＣＤドライバ２０１でドライブされ、ドットマトリクスＬＣＤ２０２で表示される。ここで、表示された電子情報コンテンツ内に電話番号が記載されている時、その電話番号をユーザが操作部１０６を用いて選択することによって、電話を発信する発信方法が第２の発信方法である。または、第２の発信方法を用いて発信した発信の発信履歴を利用して電話番号入力を行うことで発信する方法も第２の発信方法とする。ここで、第２の発信方法で発信された際の発信情報は発信情報記憶エリア８０３に記憶され、電子情報コンテンツは電子情報コンテンツ記憶エリア８０４に記憶される。
【００１８】
発信履歴８０２を参照する際に、電子情報コンテンツ８０４に電子情報コンテンツが記憶されているか、否かを確認することで、その発信履歴８０２が第１の発信方法を用いたか、または第２の発信方法を用いたかを判断することができる。
【００１９】
次に図５を用いて、発信をおこなってから発信履歴を記憶するまでのフローを説明する。
【００２０】
まず、前記第１発信手段又は第２発信手段を用いて発信する（Ｓ７０２）。このときの発信を発信Ａと定義する。
【００２１】
発信Ａで用いた電話番号と同じ電話番号をもつ発信履歴が発信履歴リスト８０１内に存在するか調べる（Ｓ７０３）。発信履歴リスト８０１内の発信履歴の発信情報内に保持されている接続番号をリストの先頭から最後まで、発信Ａの電話番号と比較する。同じ物が発見されたらその発信履歴を発信履歴Ｂと定義する。２件以上発見されたら複数件の発信履歴Ｂが存在することになる。そしてステップＳ７０９に進む。一件も発見されなかったらステップＳ７０４に進む。
【００２２】
ステップＳ７０４では、発信履歴リスト８０１に新しい発信履歴を書き込む空きがあるか判断を行う。空きがない場合にはステップＳ７０５に進み、空きがある場合にはステップＳ７０６に進む。ステップＳ７０５では、発信履歴リスト８０１に格納してある発信履歴の中から最後の発信履歴を削除することによって、新しい発信履歴を発信履歴リストに追加することが出来るようになる。なお、発信履歴リスト８０１を先頭から最後まで検索していき、次の発信履歴リストへのポインタ８０６が格納されているか否かによって最後の発信履歴を抽出することができる。
【００２３】
次に、発信Ａが第２の発信方法を用いて発信したかどうかを電子情報コンテンツ格納エリア８０４に電子情報コンテンツが格納されているか否かによって判断する（Ｓ７４５）。発信Ａが第１の発信方法を用いて発信した電話である場合、発信情報８０３に発信Ａの発信情報を記憶する（Ｓ７０８）。発信Ａが第２の発信方法を用いた場合、発信情報８０３に発信Ａの発信情報を記憶し、電子情報コンテンツ８０４に発信Ａで用いた電子情報コンテンツを記憶する。
【００２４】
ステップＳ７０９では、発信履歴リスト８０１の内容を変更する。ステップＳ７０９の詳細なフローを示したものが図６である。本フローは新しく発信履歴を記憶する際に、過去に同様の発信履歴が存在した場合には重複する古い発信履歴を排除することを目的としている。まず、発信Ａは第２の発信方法を用いたか否かを判断し、そうであるならばステップＳ７２３に進む。そうでなければステップＳ７２５に進む。
【００２５】
ステップＳ７２３では、発信履歴Ｂが第２の発信方法を用いて発信した電話の履歴か、を判定し、そうであるならばステップＳ７２４に進む。そうでないならば、発信Ａは第２の発信方法を用いた発信で、発信履歴Ｂは第１の発信方法を用いた発信の発信履歴ということがわかり、発信Ａの発信履歴を記憶しても発信履歴Ｂと重複しないということになるので本フローを終了する（Ｓ７３０）。
【００２６】
ステップＳ７２４では、発信Ａに対応する電子情報コンテンツ８０４と、発信履歴Ｂの対応する電子情報コンテンツ８０４が同一の電子情報コンテンツかを、二つの電子情報コンテンツの内容を比較することで判定する。比較した結果、違うものであると判断したら、発信Ａの発信履歴を記憶しても発信履歴Ｂと重複しないということになるので本フロー−を終了する（Ｓ７３０）。同じものと判断したら、発信Ａの発信履歴と発信履歴Ｂは同じものであることになるので、重複する発信履歴を残さないために、時間的に古い発信履歴Ｂを発信履歴リスト８０１から消去し（Ｓ７２６）、本フローを終了する（Ｓ７３０）。
【００２７】
ステップＳ７２５では、発信履歴Ｂが第２の発信方法を用いて発信した発信履歴か、を判定し、そうであるならば、発信Ａは第１の発信方法を用いた発信であるので発信Ａの発信履歴と発信履歴Ｂは重複しないということになるので本フローを終了する（Ｓ７３０）。そうでないならば、発信Ａと発信履歴Ｂの発信は共に第１の発信方法を用いたということで発信履歴も同じものになるため、重複する発信履歴を残さないために、時間的に古い発信履歴Ｂを発信履歴リスト８０１から消去し（Ｓ７２６）、本フローを終了する（Ｓ７３０）。
【００２８】
図６に示される処理を行うことによって、発信履歴リスト８０１の中から重複する発信歴を排除することができ、ユーザは同じ発信履歴を何件も保持することを避けられる。重複していると見なす条件は、二つの発信履歴の発信が第一の発信方法を用いてかつ発信情報８０３が保持する接続情報が一致すること、または二つの発信履歴の発信が第２の発信方法を用いていてかつ発信情報８０３が保持する接続情報が一致してかつ電子情報コンテンツ８０４が一致していることである。
【００２９】
次に図７のフローを用いて、本装置における発信履歴の表示方法について説明する。
【００３０】
ユーザが操作部１０６によって発信履歴を表示するための操作を行うと（Ｓ７４１）、ＤＲＡＭ１０３から最新の発信履歴Ｃを取得する。
【００３１】
ここで発信履歴リスト８０１に、発信履歴が１件もない場合は、発信履歴の表示の動作を終了する（Ｓ７５２）。
【００３２】
発信履歴Ｃを取得した場合は、その発信履歴Ｃが第２の発信方法を用いて発信したかどうかを電子情報コンテンツ格納エリア８０４に電子情報コンテンツが格納されているか否かによって判断する（Ｓ７４５）。
【００３３】
電子情報コンテンツが格納されている場合は、発信履歴Ｃの発信情報と電子情報コンテンツを取得する（Ｓ７４６）。
【００３４】
電子情報コンテンツが格納されていない場合は、発信情報のみを取得する（Ｓ７４７）。そして、取得した発信情報、あるいは発信情報と電子情報コンテンツの両方を表示する（Ｓ７４８）。
【００３５】
ここで、表示された発信履歴の一例を、図８の発信履歴画面６０１、６０２および６０３に示す。
【００３６】
発信履歴画面６０１は、第１の発信方法を用いた場合の発信履歴の表示例である。６０４は発信情報８０３に格納されている発信情報を表示している。６０５は発信情報８０３に格納されている発信情報のうち接続情報である発信先の電話番号を示している。６０６は電話を再発信するための電子ボタン部品を表している。ユーザは操作部１０６を用いて電子ボタン部品６０６を選択することによって再発信することができる。
【００３７】
発信履歴画面６０２は、第２の発信方法を用いて発信され、電子情報コンテンツとして電子メールが用いられた際の、発信履歴の表示例である。６０７は発信情報８０３に格納されている発信情報を表示している。６０８は電子情報コンテンツ８０４に格納されている電子メールを表示している。６０９は電話を再発信するための電子ボタン部品を表している。ユーザは操作部１０６を用いて電子ボタン部品６０９を選択することによって電話を再発信することができる。同様に６１０はメールを返信するための電子部品であり、これによってユーザは電話を発信した相手にメールも返信することができる。
【００３８】
発信履歴画面６０３は、第２の発信方法を用いて発信され、電子情報コンテンツとしてホームページが用いられた際の、発信履歴の表示例である。６１１は発信情報８０３に格納されている発信情報を表示している。６１２は電子情報コンテンツ８０４に格納されているホームページを表示している。６１３は電話を再発信するための電子ボタン部品を表している。ユーザは操作部１０６を用いて電子ボタン部品６１３を選択することによって再発信することができる。同様に６１４はホームページに接続するための電子部品であり、これによってユーザは電話を発信した相手のホームページに接続することができる。
【００３９】
再び、図７の説明に戻る。発信履歴の表示を中止するときは、操作部１０６において、中止の操作を行って終了する（Ｓ７４９）。
【００４０】
また、現在表示中の発信履歴の次に新しい発信履歴を表示させたいときは、操作部１０６を用いて操作を行う（Ｓ７５０）。このとき、次の発信履歴へのポインタを格納するエリア８０６をチェックすることによって、現在表示中の発信履歴がもっとも古い発信履歴かどうかを判断する（Ｓ７５１）。
【００４１】
ポインタが格納されていれば、次に新しい発信履歴を取得し（Ｓ７５３）、ポインタが格納されていないならば、最新の発信履歴を取得する（Ｓ７５２）。
【００４２】
そして、再びＳ７４４へ戻り、取得した発信履歴の発信情報が第２の発信方法を用いて発信したかどうかを判断する。
【００４３】
【発明の効果】
以上に説明したように、本発明によれば、発信履歴に電子情報コンテンツを用いることによって、ユーザは電話を再発信しようとして発信履歴を参照した時に、発信履歴に残っている電話番号について、発信した時の状況である電子情報コンテンツが表示されるために容易に相手先を特定することができるようになり、安心して電話をかけることができるようになる。
【００４４】
また、電子電話帳などに記憶されていない発信先へ発信する場合にも効果的である。
【図面の簡単な説明】
【図１】本発明の実施形態としての、通信端末装置の構成を示したブロック図である。
【図２】本発明の実施形態としての、通信端末装置の表示部の構成を示したブロック図である。
【図３】本発明の実施形態としての、通信端末装置の記憶部の構成を示したブロック図である。
【図４】本発明の実施形態としての、通信端末装置の操作部の構成を示したブロック図である。
【図５】本発明の実施形態としての、通信端末装置の電話をかけてから発信履歴を記憶するまでの動作を示したフロー図である。
【図６】本発明の実施形態としての、通信端末装置の発信履歴リストの内容を変更する動作を示したフロー図である。
【図７】本発明の実施形態としての、通信端末装置の発信履歴を表示する動作を示したフロー図である。
【図８】本発明の実施形態としての、通信端末装置の発信履歴表示の一例を示した図である。
【符号の説明】
１００  ＣＰＵ
１０１  ＲＯＭ
１０２  不揮発性ＲＡＭ
１０３  データ記憶部
１０４  電子情報コンテンツ変換部
１０５  表示部
１０６  操作部
１０８  通信部
１０９  回線
１１０  バス
【図１】
2005012430.tif 000003
【図２】
2005012430.tif 000004
【図３】
2005012430.tif 000005
【図４】
2005012430.tif 000006
【図５】
2005012430.tif 000007
【図６】
2005012430.tif 000008
【図７】
2005012430.tif 000009
【図８】
2005012430.tif 000010